(57)【特許請求の範囲】
【請求項１】
通信ネットワークにおけるシステム相互運用のための方法であって、
第１の通信システム内のモバイル局のアクティビティに関するコンテキスト情報を確立することであって、前記コンテキスト情報は、第２の通信システム内で用いることができるが、前記第１の通信システム内のコンテキストとの互換性がないことと、
前記コンテキスト情報を最新に保つことと、
前記モバイル局が前記第１の通信システムに接続されている間、前記コンテキスト情報を保留することと、
前記モバイル局が、前記第１の通信システムと同じコンテキストに基づかない前記第２の通信システムに切り換えると、前記コンテキスト情報を用いさせることと
を備え、
前記コンテキスト情報は、前記第１の通信システムと前記第２の通信システムとの間の共通アンカポイントと、前記モバイル局とに存在するクライアント・サーバ・アプリケーションによって保持され、前記コンテキスト情報は、前記モバイル局に存在するアプリケーションクライアントと、前記共通アンカポイントに存在するアプリケーションサーバとの間を前記第１の通信システムによってトンネルされる、方法。
【請求項２】
請求項１に記載の方法であって、
前記第１の通信システムは、非コンテキストベースのシステムである方法。
【請求項３】
請求項２に記載の方法であって、
前記第１の通信システムは、インターネットプロトコル（ＩＰ）ベースの通信システムであり、前記第２の通信システムは、パケット・データ・プロトコル（ＰＤＰ）コンテキストベースの通信システムである方法。
【請求項４】
請求項３に記載の方法であって、
前記ＩＰベースの通信システムは、システム・アーキテクチャ・エボリューション（ＳＡＥ）通信システムであり、前記ＰＤＰコンテキストベースの通信システムは、ジェネラル・パケット・ラジオ・サービス（ＧＰＲＳ）システムである方法。
【請求項５】
通信ネットワークにおけるシステム相互運用のための装置であって、
第１の通信システム内のモバイル局のアクティビティに関するコンテキスト情報を確立する手段であって、前記コンテキスト情報は第２の通信システム内で用いることができるが、前記第１の通信システム内のコンテキストとの互換性がない手段と、
前記コンテキスト情報を最新に保つ手段と、
前記モバイル局が前記第１の通信システムに接続されている間、前記コンテキスト情報を保留する手段と、
前記モバイル局が、前記第１の通信システムと同じコンテキストに基づかない前記第２の通信システムに切り換えると、前記コンテキスト情報を用いさせる手段と
を備え、
前記コンテキスト情報は、前記第１の通信システムと前記第２の通信システムとの間の共通アンカポイントと、前記モバイル局とに存在するクライアント・サーバ・アプリケーションによって保持され、前記コンテキスト情報は、前記モバイル局に存在するアプリケーションクライアントと、前記共通アンカポイントに存在するアプリケーションサーバとの間を前記第１の通信システムによってトンネルされる、装置。
【請求項６】
請求項５に記載の装置において、
前記第１の通信システムは、非コンテキストベースのシステムである装置。
【請求項７】
請求項６に記載の装置において、
前記第１の通信システムは、インターネットプロトコル（ＩＰ）ベースの通信システムであり、前記第２の通信システムは、パケット・データ・プロトコル（ＰＤＰ）コンテキストベースの通信システムである装置。
【請求項８】
請求項７に記載の装置において、
前記ＩＰベースの通信システムは、システム・アーキテクチャ・エボリューション（ＳＡＥ）通信システムであり、前記ＰＤＰコンテキストベースの通信システムは、ジェネラル・パケット・ラジオ・サービス（ＧＰＲＳ）システムである装置。
【請求項９】
機械によって実行されると、前記機械に、
第１の通信システム内のモバイル局のアクティビティに関するコンテキスト情報であって、第２の通信システムにおいて用いることができるが、前記第１の通信システム内のコンテキストとの互換性がないコンテキスト情報を確立することと、
前記コンテキスト情報を最新に保つことと、
前記モバイル局が前記第１の通信システムに接続されている間、前記コンテキスト情報を保留することと、
前記モバイル局が、前記第１の通信システムと同じコンテキストに基づかない前記第２の通信システムへ切り換えると、前記コンテキスト情報を用いさせることと
を含む動作を実行させる命令群を備え、
前記コンテキスト情報は、前記第１の通信システムと前記第２の通信システムとの間の共通アンカポイントと、前記モバイル局とに存在するクライアント・サーバ・アプリケーションによって保持され、前記コンテキスト情報は、前記モバイル局に存在するアプリケーションクライアントと、前記共通アンカポイントに存在するアプリケーションサーバとの間を第１の通信システムによってトンネルされる、機械読取可能媒体。
【請求項１０】
請求項９に記載の機械読取可能媒体において、
前記第１の通信システムは非コンテキストベースのシステムである機械読取可能媒体。
【請求項１１】
請求項９に記載の機械読取可能媒体において、
前記第１の通信システムは、インターネットプロトコル（ＩＰ）ベースの通信システムであり、前記第２の通信システムは、パケット・データ・プロトコル（ＰＤＰ）コンテキストベースの通信システムである機械読取可能媒体。
【請求項１２】
請求項１１に記載の機械読取可能媒体において、
前記ＩＰベースの通信システムは、システム・アーキテクチャ・エボリューション（ＳＡＥ）通信システムであり、前記ＰＤＰコンテキストベースの通信システムは、ジェネラル・パケット・ラジオ・サービス（ＧＰＲＳ）システムである機械読取可能媒体。
【請求項１３】
無線通信システムにおいて動作可能なモバイル局であって、
コンテキストベースのシステムでない第１の通信システム内のモバイル局のアクティビティに関するコンテキスト情報を確立し、前記コンテキスト情報を最新に保ち、前記モバイル局が前記第１の通信システムに接続されている間、前記コンテキスト情報を保留し、前記モバイル局が、コンテキストベースの通信システムである第２の通信システムに切り換えると、前記コンテキスト情報を用いさせるように構成されたプロセッサと、
前記プロセッサに接続され、データを格納するメモリと
を備え、
前記コンテキスト情報は、前記モバイル局に存在するアプリケーションクライアントと、前記共通アンカポイントに存在するアプリケーションサーバとの間の第１の通信システムを通してトンネルされる、モバイル局。
【請求項１４】
請求項１３に記載のモバイル局において、
前記第１の通信システムは、インターネットプロトコル（ＩＰ）ベースの通信システムであり、前記第２の通信システムは、パケット・データ・プロトコル（ＰＤＰ）コンテキストベースの通信システムであるモバイル局。
【請求項１５】
請求項１４に記載のモバイル局において、
前記ＩＰベースの通信システムは、システム・アーキテクチャ・エボリューション（ＳＡＥ）通信システムであり、前記ＰＤＰコンテキストベースの通信システムは、ジェネラル・パケット・ラジオ・サービス（ＧＰＲＳ）システムであるモバイル局。
【請求項１６】
請求項１３に記載のモバイル局であって、
前記コンテキスト情報は、前記第１の通信システムと前記第２の通信システムとの間の共通アンカポイントと、前記モバイル局とに存在するクライアント・サーバ・アプリケーションによって保持されるモバイル局。
【請求項１７】
システム相互運用のために無線通信システムにおいて動作可能な共通アンカであって、
コンテキストベースのシステムでない第１の通信システム内のモバイル局のアクティビティに関するコンテキスト情報を確立する手段と、
前記コンテキスト情報を最新に保つ手段と、
前記モバイル局が前記第１の通信システムに接続されている間、前記コンテキスト情報を保留する手段と、
前記モバイル局が、コンテキストベースの通信システムである第２の通信システムに切り換えると、前記コンテキスト情報を用いさせる手段と、
パケット・データ・プロトコル（ＰＤＰ）互換性アプリケーションサーバ（ＰＣＡＳ）モジュールと、
スタンバイＳＧＳＮ機能モジュールと、
ＧＧＳＮターミネーション機能モジュールと
を備えた共通アンカ。
【請求項１８】
請求項１７に記載の共通アンカにおいて、
前記ＰＣＡＳは、モバイル局に存在するＰＤＰ互換性アプリケーションクライアント（ＰＣＡＣ）と、ＩＰベースのネットワーク経由でＩＰトンネルを通して通信する共通アンカ。
【請求項１９】
請求項１８に記載の共通アンカにおいて、
前記ＰＣＡＳは、前記スタンバイＳＧＳＮ機能モジュール及び前記ＧＧＳＮターミネーション機能モジュールと通信する共通アンカ。
【請求項２０】
請求項１９に記載の共通アンカにおいて、
前記スタンバイＳＧＳＮ機能モジュールと、前記ＧＧＳＮターミネーション機能モジュールとは、従来のＳＧＳＮノード及びＧＧＳＮノードをエミュレートし、ＰＤＰベースのネットワーク内のサービス提供ＧＰＲＳサポートノードと、従来のＧＰＲＳトンネリングプロトコルを用いて従来のインタフェースを介して通信する共通アンカ。
【発明の詳細な説明】
【関連出願】
【０００１】
本願は、“METHOD AND APPARATUS FOR SYSTEM INTEROPERABILITY IN WIRELESS COMMUNICATIONS”と題された２００６年９月２９日出願の米国特許仮出願第６０／８４８，２１６号の利益を主張する。この出願全体が、参照によって本願に組み込まれる。
【技術分野】
【０００２】
本発明は、一般に無線通信に関し、特に、無線通信におけるシステム相互運用に関する。
【背景技術】
【０００３】
無線通信システムは、例えば音声、データ等のような様々なタイプの通信コンテンツを提供するために幅広く開発される。これらのシステムは、利用可能なシステムリソース（例えば帯域幅及び送信電力）の共有によって、多くのユーザとの通信をサポートすることができる多元接続システムであることができる。多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・エボリューション（ＬＴＥ）システム、及び直交周波数分割多元接続（ＯＦＤＭＡ）システムを含む。
【０００４】
一般に、無線多元接続通信システムは、多くの無線端末のための通信を同時にサポートすることができる。各端末は、順方向リンク及び逆方向リンク上の送信を介して１つ又は複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、又は複数入力複数出力（ＭＩＭＯ）システムによって確立することができる。
【０００５】
一般に、新しく、より進化した技術を実現するために通信ネットワークをアップグレードする圧力がある。しかし、これはしばしば多大な費用、ならびに、装置と、関連した異なるエンティティ間で用いられるプロトコルとの間の互換性問題を含む。従って、これらのエンティティ間の通信を容易にする方法及び装置に対する変わらぬニーズがある。
【発明の概要】
【０００６】
以下は、１つ又は複数の局面の基本的な理解を提供するために、そのような局面の簡略化された概要を表す。この概要は、意図された全ての局面の広範囲な概観ではなく、また、全ての局面の重要な要素や決定的な要素を特定することも、任意又は全ての局面の範囲を線引きすることも意図されていない。この概要のただ１つの目的は、後に示されるより詳細な説明の前置きとして、１つ又は複数の局面のいくつかの概念を簡略化された形式で記述することである。
【０００７】
局面によると、通信ネットワークにおけるシステム相互運用のための方法は、コンテキストベースのシステムでない第１の通信システム内のモバイル局のアクティビティに関するコンテキスト情報を確立することと、コンテキスト情報を最新に保つことと、モバイル局が第１の通信システムに接続されている間、コンテキスト情報を保留することと、モバイル局が、コンテキストベースの通信システムである第２の通信システムへ切り換えると、コンテキスト情報を用いさせることとを備える。
【０００８】
別の局面において、通信ネットワークにおけるシステム相互運用のための装置は、コンテキストベースのシステムでない第１の通信システム内のモバイル局のアクティビティに関するコンテキスト情報を確立する手段と、コンテキスト情報を最新に保つ手段と、モバイル局が第１の通信システムに接続されている間、コンテキスト情報を保留する手段と、モバイル局が、コンテキストベースの通信システムである第２の通信システムへ切り換えると、コンテキスト情報を用いさせる手段とを備える。
【０００９】
上記記載及び関連する目的を達成するために、１つ又は複数の局面は、以下で完全に説明され、特に特許請求の範囲において示される特徴を備える。以下の説明及び添付図面は、１つ又は複数の局面のある例示的局面を詳細に記述する。しかしこれらの局面は、様々な局面の原理が用いられうる様々な方法のうちのいくつかでしかなく、説明された局面は、そのような局面全て及びそれらの均等物を含むことが意図されている。
【図面の簡単な説明】
【００１０】
【図１】図１は、本発明に従う、ネットワークとユーザ機器との接続の典型的な実施形態を示す。
【図２】図２は、ＩＰベースのＳＡＥシステムのための非ローミングアーキテクチャの典型的な実施形態を示す。
【図３】図３は、ＩＰベースのＳＡＥシステムのローミングアーキテクチャの典型的な実施形態を示す。
【発明を実施する形態】
【００１１】
ここで、様々な実施形態が、同一の参照符号が本明細書を通して同一の要素を参照するために用いられる図面に関連して説明される。以下の説明において、説明目的のために、１つ又は複数の実施形態の完全な理解を提供するために多くの具体的な詳細が説明される。しかし、そのような実施形態は、これらの具体的な詳細なしでも実現されうることが明確である。他の例において、１つ又は複数の実施形態の説明を容易にするために、周知の構成及びデバイスがブロック図形式で示される。
【００１２】
本明細書で説明される技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、単一キャリアＦＤＭＡ（ＳＣ−ＦＤＭＡ）ネットワーク等のような様々な無線通信ネットワークに用いることができる。「ネットワーク」及び「システム」という用語は、しばしば置換可能に用いられる。ＣＤＭＡネットワークは、例えばユニバーサル地上無線アクセス（Universal Terrestrial Radio Access）（ＵＴＲＡ）、ｃｄｍａ２０００等のような無線技術を実現することができる。ＵＴＲＡは、広帯域ＣＤＭＡ（Ｗ−ＣＤＭＡ）及び低チップレート（ＬＣＲ）を含む。ｃｄｍａ２０００は、ＩＳ−２０００規格、ＩＳ−９５規格、及びＩＳ−８５６規格をカバーする。ＴＤＭＡネットワークは、例えばグローバル・システム・フォー・コミュニケーション（ＧＳＭ（登録商標））のような無線技術を実現することができる。ジェネラル・パケット・ラジオ・サービス（ＧＰＲＳ）は、ＧＳＭネットワークのために設計された技術である。ＯＦＤＭＡネットワークは、例えば次世代（Evolved）ＵＴＲＡ（Ｅ−ＵＴＲＡ）、ＩＥＥＥ  ８０２．１１、ＩＥＥＥ  ８０２．１６、ＩＥＥＥ  ８０２．２０、Ｆｌａｓｈ−ＯＦＤＭ（登録商標）等のような無線技術を実現することができる。ＵＴＲＡ、Ｅ−ＵＴＲＡ、及びＧＳＭは、ユニバーサル・モバイル・テレコミュニケーション・システム（ＵＭＴＳ）の一部である。ロング・ターム・エボリューション（ＬＴＥ）は、Ｅ−ＵＴＲＡを用いる近々公開されるＵＭＴＳである。ＵＴＲＡ、Ｅ−ＵＴＲＡ、ＧＳＭ、ＵＭＴＳ、及びＬＴＥは、“3rd Generation Partnership Project”（３ＧＰＰ）と名づけられた組織からの文書で説明される。ｃｄｍａ２０００は、“3rd Generation Partnership Project 2”（３ＧＰＰ２）と名づけられた組織からの文書で説明される。これらの様々な無線技術及び規格は、当該技術において周知である。
【００１３】
実施形態において、本明細書で説明される方法及び装置の目的は、パケット・データ・プロトコル（ＰＤＰ）コンテキストを用いるシステムと、ＰＤＰコンテキストを用いないインターネットプロトコル（ＩＰ）ベースのシステムとの間の互換性を提供することである。１つの使用例は、ＩＰベースのシステムとＰＤＰコンテキストベースのシステムとの間の滑らかなハンドオーバーやセッション継続を可能とすることである。
【００１４】
上記ＩＰベースのシステムは、３ＧＰＰシステム・アーキテクチャ・エボリューション（ＳＡＥ）システム、次世代３ＧＰＰ２システム、Ｗｉｍａｘシステム、Ｆｌａｓｈ−ＰＦＤＭシステム、Ｆｌａｒｉｏｎシステム、ＩＥＥＥシステム、又はＰＤＰコンテキストに基づかないその他任意のシステムであることができる。
【００１５】
上記ＰＤＰコンテキストベースのシステムは、ＧＰＲＳシステム、ＵＭＴＳパケット交換システム、ＧＥＲＡＮシステム、又はＰＤＰコンテキストを用いるその他任意のシステムであることができる。
【００１６】
明確化のために、本技術のある局面は、３ＧＰＰ  ＳＡＥシステム及びＧＰＲＳシステムに関して以下で説明され、ＳＡＥ用語及びＧＰＲＳ用語が以下の説明の多くに用いられる。
【００１７】
ＰＤＰコンテキストという用語は、システム中の特定のベアラの例として用いられる。この概念は、例えばポイント・ツー・ポイント・プロトコル（ＰＰＰ）接続、ベアラ、又はその他任意の第２層ベアラや第３層ベアラに基づくシステムのような、ＰＤＰコンテキストに基づくシステム以外のその他のベアラベースのシステムもカバーする。
【００１８】
ＧＰＲＳスタイルシステムという用語は、アクセスインタフェースを介するベアラベースの伝送を有する任意のシステムに適用される。
【００１９】
ユーザ機器（ＵＥ）、モバイル、モバイルデバイス等の用語は、上記システムのうちの少なくとも１つにアクセスするために用いられるエンド・ユーザ・デバイスを称する。アクセスは、ラジオインタフェース、無線インタフェース、又は有線インタフェースを介することができる。
【００２０】
実施形態において、解決すべき問題は、ＰＤＰベースのシステムとＩＰベースのシステムとの間の高速なシステム間切換えを可能とすることである。特定の構成なしで、ＰＤＰベースのシステムへの切換え後ＰＤＰコンテキストをセットアップすると、非常に時間がかかるので、システム間変更における滑らかさが達成されない。なぜなら、モバイルがＩＰベースのシステム経由で接続している場合、ＰＤＰ情報又はその他任意のベアラ情報は、本来最新に保たれていないからである。本明細書で提案される特定の構成を以下で説明する。
【００２１】
以下の説明は、ＩＰベースのシステムの例としてＩＰベースの３ＧＰＰ  ＳＡＥを用いるが、この説明は、次世代３ＧＰＰ２システム、ＷｉＭａｘ、Ｆｌａｓｈ  ＯＦＤＭ、ＩＥＥＥシステム、又はＰＤＰコンテキストを有さないその他任意のシステムにも適用可能であるだろう。ＰＤＰコンテキストベースのシステムの例として用いられるシステムは、３ＧＰＰ  ＧＰＲＳシステムであるが、この説明は、ベアラ伝送に基づくその他任意のシステムにも適用可能である。
【００２２】
実施形態において、１つの局面は、ＩＰベースのシステム経由で接続されている場合にも、ＰＤＰコンテキストを保持することである。ＰＤＰコンテキストは、（ＧＰＲＳのような）ＰＤＰコンテキストベースのシステムへの滑らかなハンドオーバーを提供するために、ＰＤＰコンテキスト情報が、モバイルデバイスと、システム内のコアネットワークノードとの両方で容易に利用可能であるように、ＩＰベースのシステムを通る透過トンネルを介して確立され、管理される。
【００２３】
図１に示すように、局面において、ＩＰベースのクライアント・サーバ・アプリケーションがＰＤＰコンテキストの適切なセットを保持する一方、ユーザ機器（ＵＥ）１０１すなわちモバイルは、ＩＰベースのシステム１０３を通るＩＰトンネル１０２経由で接続される。アプリケーションクライアント１０５はモバイル１０１に存在し、アプリケーションサーバ１０７は、ネットワーク内のＩＰベースのシステムと（例えばＧＰＲＳのような）ＰＤＰコンテキストベースのシステム１１１との間の共通アンカポイント１０９に存在する。アプリケーションは、モバイルがＩＰベースのシステム経由で用いているサービスのセットをモニタリングし、ＧＰＲＳシステムを介して同じセットのサービスを搬送するために必要となるＰＤＰコンテキストを確立する。これらのＰＤＰコンテキストは、モバイルとネットワークサーバとの両方で最新に保たれるが、そうでなければ保留される。ＧＰＲＳへのハンドオーバーが必要である場合、ＰＤＰコンテキストは、ＰＤＰコンテキスト終了ポイント、すなわちモバイル・プロトコル・スタック、ＩＰベースのシステムにおける「スタンバイＳＧＳＮ」機能１１３、及びＩＰベースのシステムにおけるＧＧＳＮ（ゲートウェイＧＰＲＳサポートノード）ターミネーション１１５へ移動される。ＧＰＲＳシステムの場合、「スタンバイＳＧＳＮ」機能は、３ＧＰＰ仕様書ＴＳ  ２３．０６０に準拠するＳＧＳＮ間手順のための従来のＳＧＳＮ（サービス提供ＧＰＲＳサポートノード）をエミュレートし、ＧＧＳＮターミネーションは、従来のＧＧＳＮをエミュレートする。
【００２４】
ＰＤＰベースのネットワーク内のＳＧＳＮは、（図１にＧＴＰ／Ｇｎとして示す）標準Ｇｎインタフェースを介して、ＧＰＲＳトンネリングプロトコル（ＧＴＰ）を用いてＩＰベースのシステムの「ＧＧＳＮターミネーション」と通信する。
【００２５】
ＰＤＰベースのネットワーク内のＳＧＳＮは、（図１にＧＴＰ／Ｇｐとして示す）標準Ｇｐインタフェースを介して、ＧＴＰを用いてＩＰベースのシステムの「スタンバイＳＧＳＮ」と通信する。
【００２６】
ＩＰベースのシステムを介してモバイルデバイスのためにいかなるサービスが用いられても、同様のサービスセットをサポートすることができる（保留中の）ＰＤＰコンテキストが、ネットワーク側でＰＤＰコンテキストを管理するノード及びＵＥで保持される。ＩＰベースのシステムを介するサービスセットが変更されると、（保留中の）ＰＤＰコンテキストセットへの必要な修正が（もしあれば）実行される。ＩＰベースのシステム自身は、ネットワーク内のトンネル・エンドポイント及びモバイルで保持されている保留中のＰＤＰコンテキストに気付いていない。
【００２７】
ここで、図１に示される各要素が更に詳しく説明される。
【００２８】
ＧＧＳＮターミネーション：  これはＩＰベースのシステム内の機能であり、ここでＧＰＲＳシステム経由の接続が終了する。ＧＰＲＳの観点から、「ＧＧＳＮターミネーション」は、ＧＰＲＳシステムの通常のＧＧＳＮとして動作する。
【００２９】
スタンバイＳＧＳＮ：  これはＩＰベースのシステム内の機能であり、ＩＰベースのシステムのＳＧＳＮ機能を模倣する。ＧＰＲＳの観点から、「スタンバイＳＧＳＮ」は、ＧＰＲＳシステムの通常のＳＧＳＮとして動作する。
【００３０】
ＰＤＰ互換性アプリケーション：  これは、モバイルがＩＰベースのシステム経由で接続されている場合、ＰＤＰコンテキストを管理するために用いられるＩＰベースのアプリケーションである。このアプリケーションは、ＵＥとシステムとの間の適切なセットオフＰＤＰコンテキストを透過的に維持し、可能なシステム間切換えを助けるために、ＵＥの「ＰＤＰ互換性アプリケーションクライアント」（ＰＣＡＣ）と、ＩＰベースのシステムの「ＰＤＰ互換性アプリケーションサーバ」（ＰＣＡＳ）との間のシグナリングを含む。
【００３１】
ＵＥがＩＰベースのシステムを介して接続されたままである場合、ＰＤＰコンテキスト情報は最新に保たれる。そうでない場合ＰＤＰコンテキスト情報は、潜在的なシステム間変更のために保留される。
【００３２】
ＰＣＡＳとＰＣＡＣとの間の通信は、クライアントとサーバとの間のＩＰトンネルを介する、ＧＰＲＳ  ＳＭタイプのメッセージとＧＰＲＳ  ＭＭタイプのメッセージとの交換によって実行される。ＩＰトンネルは、ＩＰベースのＳＡＥシステムを介して搬送される。
【００３３】
ＰＤＰ互換性アプリケーションサーバ（ＰＣＡＳ）：  これは、ネットワーク側でＰＤＰコンテキスト情報を管理する、ＩＰベースのシステムのサーバである。ＰＣＡＳは、ＩＰベースのトンネルを介して、ＵＥのＰＣＡＣと通信する。ＰＣＡＳはまた、ＩＰベースのシステムネットワーク機能「スタンバイＳＧＳＮ」及び「ＧＧＳＮターミネーション」と通信し、これら３つのエンティティが同期化するように保つ。
【００３４】
ＰＤＰ互換性アプリケーションクライアント（ＰＣＡＣ）：  これは、ＵＥがＩＰベースのシステムを介して接続されている間、ＰＤＰコンテキスト情報を保持するＵＥ側のクライアントである。ＵＥがＩＰベースのシステムを介して接続されたままである場合、ＰＤＰコンテキスト情報は、最新に保たれ、そうでない場合、潜在的なシステム間変更のために保留される。システム間変更において、ＰＤ情報は、ＵＥの実際のＰＤＰコンテキストターミネーションポイントから移動される。
【００３５】
（ＩＰベースのシステムからＧＰＲＳへの切換え）
ＩＰベースのシステムからＰＤＰベースのシステムへの切換え／ハンドオーバーが開始されようとすると、「ＰＤＰ互換性アプリケーションクライアント」からの保留中のＰＤＰコンテキスト情報が、モバイル（ＵＥ）の真に活性化されるＰＤＰコンテキストターミネーションポイントへコピーされる。同様に、「ＰＤＰ互換性アプリケーションサーバ」からのＰＤＰコンテキスト情報が、ネットワーク（ＧＧＳＮ）内の真に活性化されるＰＤＰコンテキストターミネーションポイントへコピーされる。同様に、ＰＤＰコンテキスト情報は、ＰＤＰベースのシステム（例えばＧＰＲＳ）の観点から、ＳＧＳＮとなりそうな場所（「スタンバイＳＧＳＮ」）で利用可能となる。
【００３６】
ハンドオーバー中、もし必要であれば、ＰＤＰベースのシステムのターゲットＳＧＳＮは、ＰＤＰベースのシステム内でのハンドオーバーにおいて実際のソースＳＧＳＮと通信するように、「スタンバイソースＳＧＳＮ」と通信する。ＩＰベースのシステムの「ＧＧＳＮターミネーション」は、ターゲットＧＰＲＳシステムのＧＧＳＮとして振舞う。
【００３７】
（ＧＰＲＳからＩＰベースのシステムへの切換え）
モバイルがＧＰＲＳシステムを介して接続されている場合、その接続は、ＩＰベースのシステムの「ＧＧＳＮターミネーション」を介してルーティングされたままである。ＧＰＲＳシステムを介するユーザのために確立されたＰＤＰコンテキストに基づいて、ＩＰベースのシステムは、ＩＰベースのシステムを介する同様のサービスセットを移送するために、ＩＰベースのシステム内で機能を事前確立／確立することができる。これは、適切なＩＰ  ＱｏＳポリシーをＩＰベースのシステム内の適切なノードへ配置又は準備することを含むことができる。もし必要ならば、ＩＰベースのコンテキストをＵＥで準備／確立するために、ＧＰＲＳ接続を介するトンネルが確立されうる。
【００３８】
（ＵＥがＧＰＲＳ内にある場合の手順）
ＵＥと、システムのＧＰＲＳ特有部分とは、この文書に記される例外を除いて、ＧＰＲＳシステムについて指定されたように振舞わなければならない。
【００３９】
（ＵＥがＩＰベースのＳＡＥ内にある場合の手順）
ＵＥがＩＰベースのＳＡＥ経由でシステムに接続されている場合、ＰＤＰコンテキスト情報は、ＳＡＥ移送の目的のために必要ではない。しかしＰＤＰコンテキスト情報は、（例えばＧＰＲＳのような）ＰＤＰコンテキストベースのシステムへのハンドオーバーに備えて、最新に保たれなければならない。ＰＤＰコンテキスト情報を最新に保つために、ＰＣＡＣとＰＣＡＳとは、ＰＤＰコンテキスト情報を最新に保つためにＵＥとＳＧＳＮとの間で、ＧＰＲＳに対して指定されたものと類似のアプリケーションレベルシグナリングをコンテンツで交換する。
【００４０】
交換される情報は、ＵＥを、ＩＰベースのシステムを通るＩＰトンネルにより潜在的なＧＰＲＳ伝送及びＰＣＡＣと置き換えることによって、ＴＳ  ２３．０６０から導出される。
【００４１】
ＰＤＰ状態は、ＵＥのＰＣＡＣ及びＩＰベースのシステムのＰＣＡＳに格納され、ＧＰＲＳへの切換え又はハンドオーバーが起こりそうになると考慮される。
【００４２】
ＰＣＡＳ及びＰＣＡＣのＰＤＰコンテキスト情報は常に、ＧＰＲＳを介する同様のタイプのＰＤＰコンテキストの存在が、システム間ハンドオーバーの起こりうる事象において、ＧＰＲＳシステムを介して伝送されるために移動されるＩＰフローのセットを搬送することができるような状態に保たなければならない。
【００４３】
（システム間手順）
ＩＰベースのシステム手順と、ＧＰＲＳベースのシステム手順との間の手順は、例えば３ＧＰＰ  ＴＳ  ２３．０６０等のＧＰＲＳ仕様書に記載の手順と同様である。
【００４４】
ＩＰベースのシステムからＧＰＲＳシステムへの切換えに関して、ＴＳ  ２３．０６０記載の手順は以下のように解釈されるべきである。
【００４５】
・「古いＳＧＳＮ」が、ＩＰベースのシステムの（ＳＡＥアンカ内の）「スタンバイＳＧＳＮ」機能によって表される。
【００４６】
・ＧＧＳＮが、ＩＰベースのシステムの（ＳＡＥアンカ内の）「ＧＧＳＮターミネーション」機能によって表される。
【００４７】
・ソースＧＰＲＳシステム内の手順が、ＩＰベースのシステム内の適切な手順に置き換えられる。
【００４８】
ＧＰＲＳベースのシステムからＩＰベースのシステムへの切換えに関して、ＴＳ  ２３．０６０記載の手順は以下のように解釈されるべきである。
【００４９】
・「新たなＳＧＳＮ」が、ＩＰベースのシステムの（ＳＡＥアンカ内の）「スタンバイＳＧＳＮ」機能によって表される。
【００５０】
・ＧＧＳＮが、ＩＰベースのシステムの（ＳＡＥアンカ内の）「ＧＧＳＮターミネーション」機能によって表される。
【００５１】
・ターゲットＧＰＲＳシステム内の手順が、ＩＰベースのシステム内の適切な手順に置き換えられる。
【００５２】
図２及び図３に示すように、ここでは、典型的なアーキテクチャ図が示される。図２は、上述したタイプのＳＡＥ−ＧＰＲＳ相互運用が適用されうるＩＰベースのＳＡＥシステムのための典型的な非ローミングアーキテクチャを示す。この例において、ＰＣＡＳは、次世代パケットコア（Evolved  Packet Core）（ＥＰＣ）内のＳＡＥアンカに位置する。図３は、上述したタイプのＳＡＥ−ＧＰＲＳ相互運用が適用されうるＩＰベースのＳＡＥシステムのための典型的なローミングアーキテクチャを示す。
【００５３】
当業者は、情報及び信号が、様々な異なる技術及び技法のうちの任意の１つを用いて表されうることを理解するであろう。例えば、上記説明を通して参照されうるデータ、命令、コマンド、情報、信号、ビット、記号、及びチップは、電圧、電流、電磁波、磁界又は磁気粒子、光場又は光粒子、あるいはそれらの任意の組合せによって表すことができる。
【００５４】
当業者は更に、本明細書に開示された実施形態に関連して記載された実例となる様々な論理ブロック、モジュール、回路、及びアルゴリズムステップが、電子工学的ハードウェア、コンピュータソフトウェア、又はこれら両方の組合せとして実現されうることをよく理解するであろう。ハードウェアとソフトウェアとの相互置換性を明確に説明するために、様々な実例となる構成要素、ブロック、モジュール、回路、及びステップが、それらの機能の観点から一般的に説明された。このような機能が、ハードウェアとして実現されるかソフトウェアとして実現されるかは、システム全体に課された設計制約及び特定のアプリケーションによる。当業者は、各特定のアプリケーションのために上述した機能を様々な方法で実装することができるが、このような実現の決定は、本発明の範囲から逸脱させるものとして解釈されてはならない。
【００５５】
本明細書で開示された実施形態に関連して記述された様々な例示的論理ブロック、モジュール、及び回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリートゲートあるいはトランジスタロジック、ディスクリートハードウェア部品、又は上述された機能を実現するために設計された上記何れかの組合せを用いて実現又は実行されうる。汎用プロセッサとしてマイクロプロセッサを用いることが可能であるが、代わりに、従来技術によるプロセッサ、コントローラ、マイクロコントローラ、又は状態機器を用いることも可能である。プロセッサは、例えばＤＳＰとマイクロプロセッサとの組合せ、複数のマイクロプロセッサ、ＤＳＰコアに接続された１つ又は複数のマイクロプロセッサ、又はこのような任意の構成である計算デバイスの組合せとして実現することも可能である。
【００５６】
本明細書で開示された実施形態に関連して記述された方法やアルゴリズムのステップは、ハードウェアによって直接的に、プロセッサによって実行されるソフトウェアモジュールによって、又は、これらの組合せによって具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他の形式の記憶媒体に収納されうる。典型的な記憶媒体は、プロセッサがそこから情報を読み取り、またそこに情報を書き込むことができるようにプロセッサに結合される。または、記憶媒体はプロセッサに統合されうる。このプロセッサと記憶媒体とは、ＡＳＩＣ内に存在することもできる。ＡＳＩＣは、ユーザ端末内に存在することもできる。あるいはこのプロセッサと記憶媒体とは、ユーザ端末内のディスクリート部品として存在することができる。
【００５７】
開示された実施形態における上記記載は、当業者をして、本発明の製造又は利用を可能とするために提供される。これらの実施形態への様々な変形例もまた、当業者に対しては明らかであって、本明細書で定義された一般原理は、本発明の精神又は範囲を逸脱することなく他の実施形態にも適用されうる。従って、本発明は、本明細書に示された実施形態に限定することは意図されておらず、本明細書に開示された原理及び新規特徴と整合が取れた最も広い範囲と一致するように意図されている。
以下に本願発明の当初の特許請求の範囲に記載された発明を付記する。
［書類名］特許請求の範囲
［Ｃ１］
通信ネットワークにおけるシステム相互運用のための方法であって、
第１の通信システム内のモバイル局のアクティビティに関するコンテキスト情報を確立することであって、前記コンテキスト情報は、第２の通信システム内で用いることができるが、前記第１の通信システム内のコンテキストとの互換性がないことと、
前記コンテキスト情報を最新に保つことと、
前記モバイル局が前記第１の通信システムに接続されている間、前記コンテキスト情報を保留することと、
前記モバイル局が、前記第１の通信システムと同じコンテキストに基づかない前記第２の通信システムに切り換えると、前記コンテキスト情報を用いさせることと
を備えた方法。
［Ｃ２］
Ｃ１に記載の方法であって、
前記第１の通信システムは、非コンテキストベースのシステムである方法。
［Ｃ３］
Ｃ２に記載の方法であって、
前記第１の通信システムは、インターネットプロトコル（ＩＰ）ベースの通信システムであり、前記第２の通信システムは、パケット・データ・プロトコル（ＰＤＰ）コンテキストベースの通信システムである方法。
［Ｃ４］
Ｃ３に記載の方法であって、
前記ＩＰベースの通信システムは、システム・アーキテクチャ・エボリューション（ＳＡＥ）通信システムであり、前記ＰＤＰコンテキストベースの通信システムは、ジェネラル・パケット・ラジオ・サービス（ＧＰＲＳ）システムである方法。
［Ｃ５］
Ｃ１に記載の方法において、
前記コンテキスト情報は、前記第１の通信システムと前記第２の通信システムとの間の共通アンカポイントと、前記モバイル局とに存在するクライアント・サーバ・アプリケーションによって保持され、前記コンテキスト情報は、前記モバイル局に存在するアプリケーションクライアントと、前記共通アンカポイントに存在するアプリケーションサーバとの間を前記第１の通信システムによってトンネルされる方法。
［Ｃ６］
通信ネットワークにおけるシステム相互運用のための装置であって、
第１の通信システム内のモバイル局のアクティビティに関するコンテキスト情報を確立する手段であって、前記コンテキスト情報は第２の通信システム内で用いることができるが、前記第１の通信システム内のコンテキストとの互換性がない手段と、
前記コンテキスト情報を最新に保つ手段と、
前記モバイル局が前記第１の通信システムに接続されている間、前記コンテキスト情報を保留する手段と、
前記モバイル局が、前記第１の通信システムと同じコンテキストに基づかない前記第２の通信システムに切り換えると、前記コンテキスト情報を用いさせる手段と
を備えた装置。
［Ｃ７］
Ｃ６に記載の装置において、
前記第１の通信システムは、非コンテキストベースのシステムである装置。
［Ｃ８］
Ｃ７に記載の装置において、
前記第１の通信システムは、インターネットプロトコル（ＩＰ）ベースの通信システムであり、前記第２の通信システムは、パケット・データ・プロトコル（ＰＤＰ）コンテキストベースの通信システムである装置。
［Ｃ９］
Ｃ８に記載の装置において、
前記ＩＰベースの通信システムは、システム・アーキテクチャ・エボリューション（ＳＡＥ）通信システムであり、前記ＰＤＰコンテキストベースの通信システムは、ジェネラル・パケット・ラジオ・サービス（ＧＰＲＳ）システムである装置。
［Ｃ１０］
Ｃ６に記載の装置において、
前記コンテキスト情報は、前記第１の通信システムと前記第２の通信システムとの間の共通アンカポイントと、前記モバイル局とに存在するクライアント・サーバ・アプリケーションによって保持され、前記コンテキスト情報は、前記モバイル局に存在するアプリケーションクライアントと、前記共通アンカポイントに存在するアプリケーションサーバとの間を前記第１の通信システムによってトンネルされる装置。
［Ｃ１１］
機械によって実行されると、前記機械に、
第１の通信システム内のモバイル局のアクティビティに関するコンテキスト情報であって、第２の通信システムにおいて用いることができるが、前記第１の通信システム内のコンテキストとの互換性がないコンテキスト情報を確立することと、
前記コンテキスト情報を最新に保つことと、
前記モバイル局が前記第１の通信システムに接続されている間、前記コンテキスト情報を保留することと、
前記モバイル局が、前記第１の通信システムと同じコンテキストに基づかない前記第２の通信システムへ切り換えると、前記コンテキスト情報を用いさせることと
を含む動作を実行させる命令群を備えた機械読取可能媒体。
［Ｃ１２］
Ｃ１１に記載の機械読取可能媒体において、
前記第１の通信システムは非コンテキストベースのシステムである機械読取可能媒体。
［Ｃ１３］
Ｃ１１に記載の機械読取可能媒体において、
前記第１の通信システムは、インターネットプロトコル（ＩＰ）ベースの通信システムであり、前記第２の通信システムは、パケット・データ・プロトコル（ＰＤＰ）コンテキストベースの通信システムである機械読取可能媒体。
［Ｃ１４］
Ｃ１１に記載の機械読取可能媒体において、
前記ＩＰベースの通信システムは、システム・アーキテクチャ・エボリューション（ＳＡＥ）通信システムであり、前記ＰＤＰコンテキストベースの通信システムは、ジェネラル・パケット・ラジオ・サービス（ＧＰＲＳ）システムである機械読取可能媒体。
［Ｃ１５］
Ｃ１１に記載の機械読取可能媒体において、
前記コンテキスト情報は、前記第１の通信システムと前記第２の通信システムとの間の共通アンカポイントと、前記モバイル局とに存在するクライアント・サーバ・アプリケーションによって保持され、前記コンテキスト情報は、前記モバイル局に存在するアプリケーションクライアントと、前記共通アンカポイントに存在するアプリケーションサーバとの間を第１の通信システムによってトンネルされる機械読取可能媒体。
［Ｃ１６］
無線通信システムにおいて動作可能なモバイル局であって、
コンテキストベースのシステムでない第１の通信システム内のモバイル局のアクティビティに関するコンテキスト情報を確立し、前記コンテキスト情報を最新に保ち、前記モバイル局が前記第１の通信システムに接続されている間、前記コンテキスト情報を保留し、前記モバイル局が、コンテキストベースの通信システムである第２の通信システムに切り換えると、前記コンテキスト情報を用いさせるように構成されたプロセッサと、
前記プロセッサに接続され、データを格納するメモリと
を備えたモバイル局。
［Ｃ１７］
Ｃ１６に記載のモバイル局において、
前記第１の通信システムは、インターネットプロトコル（ＩＰ）ベースの通信システムであり、前記第２の通信システムは、パケット・データ・プロトコル（ＰＤＰ）コンテキストベースの通信システムであるモバイル局。
［Ｃ１８］
Ｃ１６に記載のモバイル局において、
前記ＩＰベースの通信システムは、システム・アーキテクチャ・エボリューション（ＳＡＥ）通信システムであり、前記ＰＤＰコンテキストベースの通信システムは、ジェネラル・パケット・ラジオ・サービス（ＧＰＲＳ）システムであるモバイル局。
［Ｃ１９］
Ｃ１６に記載のモバイル局であって、
前記コンテキスト情報は、前記第１の通信システムと前記第２の通信システムとの間の共通アンカポイントと、前記モバイル局とに存在するクライアント・サーバ・アプリケーションによって保持されるモバイル局。
［Ｃ２０］
Ｃ１６に記載のモバイル局において、
前記コンテキスト情報は、前記モバイル局に存在するアプリケーションクライアントと、前記共通アンカポイントに存在するアプリケーションサーバとの間の第１の通信システムを通してトンネルされるモバイル局。
［Ｃ２１］
システム相互運用のために無線通信システムにおいて動作可能な共通アンカであって、  コンテキストベースのシステムでない第１の通信システム内のモバイル局のアクティビティに関するコンテキスト情報を確立する手段と、
前記コンテキスト情報を最新に保つ手段と、
前記モバイル局が前記第１の通信システムに接続されている間、前記コンテキスト情報を保留する手段と、
前記モバイル局が、コンテキストベースの通信システムである第２の通信システムに切り換えると、前記コンテキスト情報を用いさせる手段と
を備えた共通アンカ。
［Ｃ２２］
Ｃ２１に記載の共通アンカにおいて、
パケット・データ・プロトコル（ＰＤＰ）互換性アプリケーションサーバ（ＰＣＡＳ）モジュールと、
スタンバイＳＧＳＮ機能モジュールと、
ＧＧＳＮターミネーション機能モジュールと
を更に備える共通アンカ。
［Ｃ２３］
Ｃ２２に記載の共通アンカにおいて、
前記ＰＣＡＳは、モバイル局に存在するＰＤＰ互換性アプリケーションクライアント（ＰＣＡＣ）と、ＩＰベースのネットワーク経由でＩＰトンネルを通して通信する共通アンカ。
［Ｃ２４］
Ｃ２３に記載の共通アンカにおいて、
前記ＰＣＡＳは、前記スタンバイＳＧＳＮ機能モジュール及び前記ＧＧＳＮターミネーション機能モジュールと通信する共通アンカ。
［Ｃ２５］
Ｃ２４に記載の共通アンカにおいて、
前記スタンバイＳＧＳＮ機能モジュールと、前記ＧＧＳＮターミネーション機能モジュールとは、従来のＳＧＳＮノード及びＧＧＳＮノードをエミュレートし、ＰＤＰベースのネットワーク内のサービス提供ＧＰＲＳサポートノードと、従来のＧＰＲＳトンネリングプロトコルを用いて従来のインタフェースを介して通信する共通アンカ。
【図１】
0005497116.tif 000002
【図２】
0005497116.tif 000003
【図３】
0005497116.tif 000004